(57)【特許請求の範囲】
【請求項１】
捕食性ダニ種から選択される捕食性ダニ種の個体群と、
少なくとも１種のＡｓｔｉｇｍａｔｉｄダニ種の個体群を含む、前記捕食性個体のための食物源と、ここで、前記Ａｓｔｉｇｍａｔｉｄ個体群の５０〜９０％が不動化処理によって不動化されており、
を含むダニ組成物であって、不動化されたＡｓｔｉｇｍａｔｉｄ個体群が、真菌抑制剤に接触されており、前記真菌抑制剤が、食真菌性ダニ種または抗真菌性滲出液を産生するダニ種から選択される真菌抑制ダニ個体群を含む、ダニ組成物。
【請求項２】
Ａｓｔｉｇｍａｔｉｄ個体に適した食物物質と、前記ダニ種個体のための担体とをさらに含む、請求項１に記載の組成物。
【請求項３】
前記真菌抑制ダニ個体群が、Ａｓｔｉｇｍａｔｉｄ種から選択される、請求項１又は２に記載の組成物。
【請求項４】
前記捕食性ダニ種が、
ｉ）Ｐｈｙｔｏｓｅｉｉｄａｅ、
ｉｉ）Ａｓｃｉｄａｅ、
ｉｉｉ）Ｌａｅｌａｐｉｄａｅ、
ｉｖ）Ｍａｃｒｏｃｈｅｌｉｄａｅ、若しくは、
ｖ）Ｐａｒａｓｉｔｉｄａｅ
から選択されるＭｅｓｏｓｔｉｇｍａｔｉｄダニ種、又は、
Ｐｒｏｓｔｉｇｍａｔｉｄダニ種
から選択される、請求項１〜３のいずれか１項に記載の組成物。
【請求項５】
前記Ｐｈｙｔｏｓｅｉｉｄａｅが、Ａｍｂｌｙｓｅｉｉｎａｅ亜科またはＴｙｐｈｌｏｄｒｏｍｉｎａｅ亜科から選択される、請求項４に記載の組成物。
【請求項６】
Ａｓｔｉｇｍａｔｉｄ個体数に対する捕食性個体数の比率が、１００：１〜１：１０である、請求項１〜５のいずれか１項に記載の組成物。
【請求項７】
担体及び、担体１ｍｌ当たり１０以上、最大４５０匹の捕食性ダニ種個体を含有する、請求項２〜６のいずれかに記載の組成物。
【請求項８】
前記不動化されたＡｓｔｉｇｍａｔｉｄ個体が、熱処理、化学処理、放射線照射処理、超音波処理、機械的処理、電気的処理、接着剤による不動化、又は飢餓による不動化から選択される不動化処理によって不動化されている、請求項１〜７のいずれか１項に記載の組成物。
【請求項９】
前記ダニ種の個体のための前記担体が、担体要素を含み、前記担体要素の積み重なりが、捕食性ダニ個体に適したシェルターを含む、請求項２〜８のいずれか１項に記載の組成物。
【請求項１０】
前記シェルターが、捕食性個体をその周囲から遮蔽するための区域を含み、捕食性個体がこの区域に位置する場合、前記区域において、前記担体要素の材料が、直交性又は逆向きの関係を有する少なくとも３方向において、捕食性個体をその周囲から遮蔽する、請求項９に記載の組成物。
【請求項１１】
前記シェルターが、窪み、凹部、孔、チャンバ、空洞、隙間、凹み、ポケット、チューブにより形成される空隙等の空隙を含む、請求項９又は１０に記載の組成物。
【請求項１２】
担体要素が、もみ殻に由来する、請求項９〜１１のいずれか１項に記載の組成物。
【請求項１３】
捕食性ダニ種から選択される捕食性ダニ種を飼育するための方法であって、
（ｉ）請求項１〜１２に記載の組成物を用意するステップと、
（ｉｉ）前記捕食性ダニ個体群の個体に、Ａｓｔｉｇｍａｔｉｄ個体群の個体を捕食させるステップと
を含む方法。
【請求項１４】
前記捕食性ダニ種が、Ｍｅｓｏｓｔｉｇｍａｔｉｄダニ種又はＰｒｏｓｔｉｇｍａｔｉｄダニ種から選択される、請求項１３に記載の方法。
【請求項１５】
捕食性ダニ種を飼育するための、請求項１〜１２に記載の組成物の使用。
【請求項１６】
前記捕食性ダニ種が、Ｍｅｓｏｓｔｉｇｍａｔｉｄダニ種又はＰｒｏｓｔｉｇｍａｔｉｄダニ種から選択される、請求項１５に記載の使用。
【請求項１７】
捕食性ダニ種を飼育するための飼育システムであって、請求項１〜１２のいずれか１項に記載の組成物を収容する容器を含む飼育システム。
【請求項１８】
前記捕食性ダニ種が、Ｍｅｓｏｓｔｉｇｍａｔｉｄダニ種又はＰｒｏｓｔｉｇｍａｔｉｄダニ種から選択される、請求項１７に記載の飼育システム。
【請求項１９】
前記容器が、少なくとも１つの前記捕食性ダニ種の幼虫、若虫又は成虫の持続的な放出をもたらすのに適した出口を備える、請求項１７又は１８に記載の飼育システム。
【請求項２０】
作物の有害生物を防除するための、請求項１〜１２のいずれかに記載の組成物又は請求項２０に記載の飼育システムの、使用。
【請求項２１】
作物における有害生物を生物学的に防除するための方法であって、前記作物に請求項１〜１２に記載の組成物を与えるステップを含む方法。
【発明の詳細な説明】
【技術分野】
【０００１】
本発明は、概して、捕食性ダニの使用による生物学的作物保護の分野に関する。本発明は、特に、捕食性ダニと餌とを含むダニ組成物に関する。このようなダニ組成物は、捕食性ダニの飼育及び／又は捕食性ダニを用いた作物保護に適している。
【背景技術】
【０００２】
生物学的作物保護のための捕食性ダニの使用は、農業及び園芸においてますます一般的になりつつある。現在、Ｐｈｙｔｏｓｅｉｉｄａｅ、Ｌａｅｌａｐｉｄａｅ、Ｍａｃｒｏｃｈｅｌｉｄａｅ、Ｐａｒａｓｉｔｉｄａｅ、Ｔｙｄｅｉｄａｅ、Ｃｈｅｙｌｅｔｉｄａｅ、Ｃｕｎａｘｉｄａｅ、Ｅｒｙｔｈｒａｅｉｄａｅ、Ｓｔｉｇｍａｅｉｄａｅの科からの捕食性ダニが利用されており、又は植物食性ダニ、アザミウマ及びコナジラミ類等の有害生物と戦うことが示唆されてきた。生物学的有害生物防除剤としての、捕食性ダニの商業的利用の必要条件は、許容される価格に対するその利用可能性である。そのため、これを効率的に大量に産生する可能性が重要である。
【０００３】
ここ数年の間、捕食性ダニのための飼育用餌（或いは、飼育用宿主と称される）の利用可能性を考慮すると、大量飼育のための方法は相当に改善されてきた。これらの新たに利用できる飼育用餌の多くは、Ａｓｔｉｇｍａｔｉｄダニである。例えば、Ｋｏｐｐｅｒｔ  Ｂ．Ｖ．の国際出願であるＷＯ２００６／０５７５５２、ＷＯ２００６／０７１１０７及びＷＯ２００７／０７５０８１を参照されたい。加えて、ＷＯ２００８／０１５３９３、ＷＯ２００８／１０４８０７及びＥＰ２２３２９８６は、Ｐｈｙｔｏｓｅｉｉｄ捕食者及びＡｓｔｉｇｍａｔｉｄ餌ダニ種の追加的な組み合わせについて開示する。このようなＡｓｔｉｇｍａｔｉｄ餌ダニ種は、捕食性Ｍｅｓｏｓｔｉｇｍａｔｉｄダニ種、捕食性Ｐｒｏｓｔｉｇｍａｔｉｄダニ種等の、他の分類群からの捕食性種の大量飼育にも適していることが判明した。
【０００４】
飼育用餌の利用可能性におけるこのような発展にもかかわらず、捕食性ダニの大量飼育には一定の限界が残されており、大量飼育は、このような限界の改善によって恩恵を受けるであろう。
【０００５】
例えば、生きている飼育用餌は、その運動活性、代謝ガス及び代謝熱を生じるその代謝活性のため、捕食性ダニのストレス源ともなり得る。これらの効果は、高い個体群密度において特に非常に大きくなり得る。加えて、生きた餌個体は、捕食性ダニを妨害し、更には襲撃してくる捕食者に対する防御として作用し得る警報フェロモン等、特定の化学物質を産生及び分泌し得る。このような密度依存性ストレス要因は、より低い産卵速度、未成熟期のより低い生存及び成虫の捕食性ダニのより短い長寿命により、捕食性ダニのより遅い個体群発達速度及びより低い最大個体群密度をもたらし得る。これらのストレス要因の排除又は軽減に適した発明の解決法は、より高い飼育個体群密度及び速い個体群発達速度を達成することができるであろう。
【０００６】
ＥＰ２３８０４３６は、捕食性Ｐｈｙｔｏｓｅｉｉｄ種の個体群及びＡｓｔｉｇｍａｔｉｄ種の個体群を含むダニ組成物並びに該組成物を用いて捕食性Ｐｈｙｔｏｓｅｉｉｄダニを飼育するための方法を開示する。本組成物は、Ａｓｔｉｇｍａｔｉｄ種の個体群が生きていないことを特徴とする。生きていないとは、生きたＡｓｔｉｇｍａｔｉｄ個体が全く存在しない（餌が完全に不活性である）ことを意味する。
【０００７】
ＥＰ２３８０４３６の組成物及びＰｈｙｔｏｓｅｉｉｄ捕食者の飼育におけるその使用は、生きた餌によって誘導される妨害的ストレス要因を抑制又は排除する可能性がある。しかし、この組成物は、おそらく特定の問題を解決するであろうが、依然として大きな不利益を有する。本発明の発明者らは、死んだＡｓｔｉｇｍａｔｉｄダニが、優れた真菌の基質でもあり、真菌生育を促進することを見出した。この問題は、先行技術には記録されていない。大規模な真菌生育は、捕食性ダニの個体群発達速度及び最大個体群密度に悪い影響を及ぼす。
【発明の概要】
【発明が解決しようとする課題】
【０００８】
本発明は、相当数の死んだまたは不動化された餌個体を含む飼育用餌の個体群において捕食性ダニが飼育される場合、適切な真菌抑制が必要とされるとの知見に基づく。
【課題を解決するための手段】
【０００９】
従って、本発明は、第１の態様において、
捕食性ダニ種個体の個体群と、
少なくとも１種のＡｓｔｉｇｍａｔｉｄダニ種個体を含む捕食性個体のための食物源であって、前記Ａｓｔｉｇｍａｔｉｄ個体の少なくとも一部分が不動化された食物源と、
場合により、Ａｓｔｉｇｍａｔｉｄ個体に適した食物源と、
場合により、前記ダニ種個体のための担体と
を含むダニ組成物であって、不動化されたＡｓｔｉｇｍａｔｉｄ個体、及び場合により、Ａｓｔｉｇｍａｔｉｄ個体のための必要に応じた食物源が、真菌抑制剤に接触されているダニ組成物に関する。
【００１０】
組成物は、捕食性ダニの個体群の個体を含む。当業者に周知の通り、捕食性Ｐｈｙｔｏｓｅｉｉｄダニは、植物上に天然の生息場所があり、そこで有害な生物（昆虫やダニ）を捕食する。捕食性Ｐｈｙｔｏｓｅｉｉｄダニは、ｄｅ  Ｍｏｒａｅｓらにより２００４に記載されている通り、その天然の生息場所から単離することができる。本発明において特に有用な捕食性ダニは、捕食性Ｍｅｓｏｓｔｉｇｍａｔｉｄダニ種、捕食性Ｐｒｏｓｔｉｇｍａｔｉｄダニ種、特に、
ｉ）Ｐｈｙｔｏｓｅｉｉｄａｅ、例えば、
Ａｍｂｌｙｓｅｉｉｎａｅの亜科、例えば、Ａｍｂｌｙｓｅｉｕｓ属、例えば、Ａｍｂｌｙｓｅｉｕｓ  ａｎｄｅｒｓｏｎｉ、Ａｍｂｌｙｓｅｉｕｓ  ａｅｒｉａｌｉｓ、Ａｍｂｌｙｓｅｉｕｓ  ｓｗｉｒｓｋｉｉ、Ａｍｂｌｙｓｅｉｕｓ  ｈｅｒｂｉｃｏｌｕｓ又はＡｍｂｌｙｓｅｉｕｓ  ｌａｒｇｏｅｎｓｉｓ、Ｅｕｓｅｉｕｓ属、例えば、Ｅｕｓｅｉｕｓ  ｆｉｎｌａｎｄｉｃｕｓ、Ｅｕｓｅｉｕｓ  ｈｉｂｉｓｃｉ、Ｅｕｓｅｉｕｓ  ｏｖａｌｉｓ、Ｅｕｓｅｉｕｓ  ｖｉｃｔｏｒｉｅｎｓｉｓ、Ｅｕｓｅｉｕｓ  ｓｔｉｐｕｌａｔｕｓ、Ｅｕｓｅｉｕｓ  ｓｃｕｔａｌｉｓ、Ｅｕｓｅｉｕｓ  ｔｕｌａｒｅｎｓｉｓ、Ｅｕｓｅｉｕｓ  ａｄｄｏｅｎｓｉｓ、Ｅｕｓｅｉｕｓ  ｃｏｎｃｏｒｄｉｓ、Ｅｕｓｅｉｕｓ  ｈｏ又はＥｕｓｅｉｕｓ  ｃｉｔｒｉ、Ｎｅｏｓｅｉｕｌｕｓ属、例えば、Ｎｅｏｓｅｉｕｌｕｓ  ｂａｒｋｅｒｉ、Ｎｅｏｓｅｉｕｌｕｓ  ｃａｌｉｆｏｒｎｉｃｕｓ、Ｎｅｏｓｅｉｕｌｕｓ  ｃｕｃｕｍｅｒｉｓ、Ｎｅｏｓｅｉｕｌｕｓ  ｌｏｎｇｉｓｐｉｎｏｓｕｓ、Ｎｅｏｓｅｉｕｌｕｓ  ｗｏｍｅｒｓｌｅｙｉ、Ｎｅｏｓｅｉｕｌｕｓ  ｉｄａｅｕｓ、Ｎｅｏｓｅｉｕｌｕｓ  ａｎｏｎｙｍｕｓ、Ｎｅｏｓｅｉｕｌｕｓ  ｐａｓｐａｌｉｖｏｒｕｓ、Ｎｅｏｓｅｉｕｌｕｓ  ｒｅｄｕｃｔｕｓ又はＮｅｏｓｅｉｕｌｕｓ  ｆａｌｌａｃｉｓ、Ａｍｂｌｙｄｒｏｍａｌｕｓ属、例えば、Ａｍｂｌｙｄｒｏｍａｌｕｓ  ｌｉｍｏｎｉｃｕｓ、Ｔｙｐｈｌｏｄｒｏｍａｌｕｓ属、例えば、Ｔｙｐｈｌｏｄｒｏｍａｌｕｓ  ａｒｉｐｏ、Ｔｙｐｈｌｏｄｒｏｍａｌｕｓ  ｌａｉｌａ又はＴｙｐｈｌｏｄｒｏｍａｌｕｓ  ｐｅｒｅｇｒｉｎｕｓ、Ｔｙｐｈｌｏｄｒｏｍｉｐｓ属、例えば、Ｔｙｐｈｌｏｄｒｏｍｉｐｓ  ｍｏｎｔｄｏｒｅｎｓｉｓ、Ｐｈｙｔｏｓｅｉｕｌｕｓ属、例えば、Ｐｈｙｔｏｓｅｉｕｌｕｓ  ｐｅｒｓｉｍｉｌｉｓ、Ｐｈｙｔｏｓｅｉｕｌｕｓ  ｍａｃｒｏｐｉｌｉｓ、Ｐｈｙｔｏｓｅｉｕｌｕｓ  ｌｏｎｇｉｐｅｓ、Ｐｈｙｔｏｓｅｉｕｌｕｓ  ｆｒａｇａｒｉａｅからのもの、
Ｔｙｐｈｌｏｄｒｏｍｉｎａｅの亜科、Ｇａｌｅｎｄｒｏｍｕｓ属、例えば、Ｇａｌｅｎｄｒｏｍｕｓ  ｏｃｃｉｄｅｎｔａｌｉｓ、Ｔｙｐｈｌｏｄｒｏｍｕｓ属、例えば、Ｔｙｐｈｌｏｄｒｏｍｕｓ  ｐｙｒｉ、Ｔｙｐｈｌｏｄｒｏｍｕｓ  ｄｏｒｅｅｎａｅ又はＴｙｐｈｌｏｄｒｏｍｕｓ  ａｔｈｉａｓａｅからのもの、
ｉｉ）Ａｓｃｉｄａｅ、例えば、Ｐｒｏｃｔｏｌａｅｌａｐｓ  ｐｙｇｍａｅｕｓ（Ｍｕｌｌｅｒ）等のＰｒｏｃｔｏｌａｅｌａｐｓ属；Ｂｌａｔｔｉｓｏｃｉｕｓ属、例えば、Ｂｌａｔｔｉｓｏｃｉｕｓ  ｔａｒｓａｌｉｓ（Ｂｅｒｌｅｓｅ）、Ｂｌａｔｔｉｓｏｃｉｕｓ  ｋｅｅｇａｎｉ（Ｆｏｘ）；Ｌａｓｉｏｓｅｉｕｓ属、例えば、Ｌａｓｉｏｓｅｉｕｓ  ｆｉｍｅｔｏｒｕｍ  Ｋａｒｇ、Ｌａｓｉｏｓｅｉｕｓ  ｆｌｏｒｉｄｅｎｓｉｓ  Ｂｅｒｌｅｓｅ、Ｌａｓｉｏｓｅｉｕｓ  ｂｉｓｐｉｎｏｓｕｓ  Ｅｖａｎｓ、Ｌａｓｉｏｓｅｉｕｓ  ｄｅｎｔａｔｕｓ  Ｆｏｘ、Ｌａｓｉｏｓｅｉｕｓ  ｓｃａｐｕｌａｔｕｓ（Ｋｅｎｅｔｔ）、Ｌａｓｉｏｓｅｉｕｓ  ａｔｈｉａｓａｅ  Ｎａｗａｒ＆Ｎａｓｒ；Ａｒｃｔｏｓｅｉｕｓ属、例えば、Ａｒｃｔｏｓｅｉｕｓ  ｓｅｍｉｓｃｉｓｓｕｓ（Ｂｅｒｌｅｓｅ）；Ｐｒｏｔｏｇａｍａｓｅｌｌｕｓ属、例えば、Ｐｒｏｔｏｇａｍａｓｅｌｌｕｓ  ｄｉｏｓｃｏｒｕｓ  Ｍａｎｓｏｎからのもの、
ｉｉｉ）Ｌａｅｌａｐｉｄａｅ、例えば、Ｓｔｒａｔｉｏｌａｅｌａｐｓ属、例えば、Ｓｔｒａｔｉｏｌａｅｌａｐｓ  ｓｃｉｍｉｔｕｓ（Ｗｏｍｅｒｓｌｅｙ）（Ｈｙｐｏａｓｐｉｓ属にも置かれる）；Ｇｅｏｌａｅｌａｐｓ、例えば、Ｇｅｏｌａｅｌａｐｓ  ａｃｕｌｅｉｆｅｒ（Ｃａｎｅｓｔｒｉｎｉ）（Ｈｙｐｏａｓｐｉｓ属にも置かれる）；Ａｎｄｒｏｌａｅｌａｐｓ、例えば、Ａｎｄｒｏｌａｅｌａｐｓ  ｃａｓａｌｉｓ  ｃａｓａｌｉｓ（Ｂｅｒｌｅｓｅ）からのもの、
ｉｖ）Ｍａｃｒｏｃｈｅｌｉｄａｅ、例えば、Ｍａｃｒｏｃｈｅｌｅｓ属、例えば、Ｍａｃｒｏｃｈｅｌｅｓ  ｒｏｂｕｓｔｕｌｕｓ（Ｂｅｒｌｅｓｅ）、Ｍａｃｒｏｃｈｅｌｅｓ  ｍｕｓｃａｅｄｏｍｅｓｔｉｃａｅ（Ｓｃｏｐｏｌｉ）、Ｍａｃｒｏｃｈｅｌｅｓ  ｍａｔｒｉｕｓ（Ｈｕｌｌ）からのもの、
ｖ）Ｐａｒａｓｉｔｉｄａｅ、例えば、Ｐｅｒｇａｍａｓｕｓ属、例えば、Ｐｅｒｇａｍａｓｕｓｑｕｉｓｑｕｉｌｉａｒｕｍ  Ｃａｎｅｓｔｒｉｎｉ；Ｐａｒａｓｉｔｕｓ、例えば、Ｐａｒａｓｉｔｕｓｆｉｍｅｔｏｒｕｍ（Ｂｅｒｌｅｓｅ）、Ｐａｒａｓｉｔｕｓ  ｂｉｔｕｂｅｒｏｓｕｓ  Ｋａｒｇからのもの
から選択されるＭｅｓｏｓｔｉｇｍａｔｉｄダニ種、
ｖｉ）Ｔｙｄｅｉｄａｅ、例えば、Ｈｏｍｅｏｐｒｏｎｅｍａｔｕｓ属、例えば、Ｈｏｍｅｏｐｒｏｎｅｍａｔｕｓ  ａｎｃｏｎａｉ（Ｂａｋｅｒ）；Ｔｙｄｅｕｓ属、例えば、Ｔｙｄｅｕｓ  ｌａｍｂｉ（Ｂａｋｅｒ）、Ｔｙｄｅｕｓ  ｃａｕｄａｔｕｓ（Ｄｕｇｅｓ）、Ｔｙｄｅｕｓ  ｌａｍｂｉ（Ｂａｋｅｒ）；Ｐｒｏｎｅｍａｔｕｓ属、例えば、Ｐｒｏｎｅｍａｔｕｓ  ｕｂｉｑｕｉｔｏｕｓ（ＭｃＧｒｅｇｏｒ）からのもの、
ｖｉｉ）Ｃｈｅｙｌｅｔｉｄａｅ、例えば、Ｃｈｅｙｌｅｔｕｓ属、例えば、Ｃｈｅｙｌｅｔｕｓ  ｅｒｕｄｉｔｕｓ（Ｓｃｈｒａｎｋ）、Ｃｈｅｙｌｅｔｕｓ  ｍａｌａｃｃｅｎｓｉｓ  Ｏｕｄｅｍａｎｓからのもの、
ｖｉｉｉ）Ｃｕｎａｘｉｄａｅ、例えば、Ｃｏｌｅｏｓｃｉｒｕｓ属、例えば、Ｃｏｌｅｏｓｃｉｒｕｓ  ｓｉｍｐｌｅｘ（Ｅｗｉｎｇ）、Ｃｕｎａｘａ属、例えば、Ｃｕｎａｘａ  ｓｅｔｉｒｏｓｔｒｉｓ（Ｈｅｒｍａｎｎ）からのもの、
ｉｘ）Ｅｒｙｔｈｒａｅｉｄａｅ、例えば、Ｂａｌａｕｓｔｉｕｍ属、例えば、Ｂａｌａｕｓｔｉｕｍ  ｐｕｔｍａｎｉ  Ｓｍｉｌｅｙ、Ｂａｌａｕｓｔｉｕｍ  ｍｅｄｉｃａｇｏｅｎｓｅ  Ｍｅｙｅｒ＆Ｒｙｋｅ、Ｂａｌａｕｓｔｉｕｍ  ｍｕｒｏｒｕｍ（Ｈｅｒｍａｎｎ）からのもの、
ｘ）Ｓｔｉｇｍａｅｉｄａｅ、例えば、Ａｇｉｓｔｅｍｕｓ属、例えば、Ａｇｉｓｔｅｍｕｓ  ｅｘｓｅｒｔｕｓ  Ｇｏｎｚａｌｅｚ；Ｚｅｔｚｅｌｌｉａ属、例えば、Ｚｅｔｚｅｌｌｉａｍａｌｉ（Ｅｗｉｎｇ）からのもの、
からのものなどの、Ｐｒｏｓｔｉｇｍａｔｉｄダニ種
から選択することができる。
【００１１】
Ｐｈｙｔｏｓｅｉｉｄ種として選択される場合、ダニ種は、好ましくは、Ａｍｂｌｙｓｅｉｕｓ  ｓｗｉｒｓｋｉｉ、Ａｍｂｌｙｓｉｅｕｓ  ａｅｒｉａｌｉｓ、Ａｍｂｌｙｓｅｉｕｓ  ａｎｄｅｒｓｏｎｉ、Ｎｅｏｓｅｉｕｌｕｓ  ｂａｒｋｅｒｉ、Ｎｅｏｓｅｉｕｌｕｓ  ｃａｌｉｆｏｒｎｉｃｕｓ、Ｎｅｏｓｅｉｕｌｕｓ  ｃｕｃｕｍｅｒｉｓ、Ｎｅｏｓｅｉｕｌｕｓ  ｆａｌｌａｃｉｓ、Ｔｙｐｈｌｏｄｒｏｍｉｐｓ  ｍｏｎｔｄｏｒｅｎｓｉｓ又はＡｍｂｌｙｄｒｏｍａｌｕｓ  ｌｉｍｏｎｉｃｕｓから選択されるＰｈｙｔｏｓｅｉｉｄ種である。
【００１２】
本発明に関して用いられるＰｈｙｔｏｓｅｉｉｄダニ亜科、属及び種の名称は、他に断りのない限り、ｄｅ  Ｍｏｒａｅｓ、Ｇ．Ｊ．ら、２００４に記されている通りである。他の科からの種に関しては、Ｇｅｒｓｏｎ  Ｕ．、Ｓｍｉｌｅｙ  Ｒ．Ｌ．  ａｎｄ  Ｏｃｈｏａ  Ｒ．、２００３、Ｍｉｔｅｓ  （Ａｃａｒｉ）  ｆｏｒ  ｐｅｓｔ  ｃｏｎｔｒｏｌ（Ｂｌａｃｋｗｅｌｌ  Ｐｕｂｌｉｓｈｉｎｇ）を参照されたい。代替的及び同等な名称を特定のダニ種に用いてよいことが留意されたい。例えば、Ａｍｂｌｙｄｒｏｍａｌｕｓ  ｌｉｍｏｎｉｃｕｓが、代替的及び同等な名称Ａｍｂｌｙｓｅｉｕｓ  ｌｉｍｏｎｉｃｕｓ及びＴｙｐｈｌｏｄｒｏｍａｌｕｓ  ｌｉｍｏｎｉｃｕｓとしても公知であることが当業者に知られている。
【００１３】
捕食者の個体群は、好ましくは、飼育用個体群である。本明細書において、飼育という用語は、有性生殖による個体群の繁殖及び増加を包含すると理解されるべきである。飼育用個体群は、両方の性の性的に成熟した成虫、及び／又は性的に成熟した成虫へと成熟することができる他の生活段階、例えば、両方の性の卵、幼虫及び／又は若虫の個体を含むことができる。或いは、飼育用個体群は、１匹又は複数の受精した雌を含むことができる。基本的に、飼育用個体群は、有性生殖によって個体数を増加させることができる。
【００１４】
ダニ組成物は、少なくとも１種のＡｓｔｉｇｍａｔｉｄダニ種の個体を含む、捕食性個体のための食物源を更に含む。選択されたＡｓｔｉｇｍａｔｉｄダニ種の１つ以上の生活段階に由来する個体は、選択された捕食者の個体に適した餌（食物源）である必要がある。選択された捕食者のための餌として適したＡｓｔｉｇｍａｔｉｄダニの選択は、当業者の知識の範囲内である。Ａｓｔｉｇｍａｔｉｄダニは、Ｈｕｇｈｅｓ  Ａ．Ｍ．、１９７７に記載されている通りにその天然の生息場所から単離することができ、Ｐａｒｋｉｎｓｏｎ、Ｃ．Ｌ．（１９９２）及びＳｏｌｏｍｏｎ、Ｍ．Ｅ．＆Ｃｕｎｎｉｎｇｔｏｎ、Ａ．Ｍ．（１９６３）に記載されている通りに維持及び培養することができる。
【００１５】
Ａｓｔｉｇｍａｔｉｄダニ種は、
ｉ）Ｃａｒｐｏｇｌｙｐｈｕｓ属、例えば、Ｃａｒｐｏｇｌｙｐｈｕｓ  ｌａｃｔｉｓからなどの、Ｃａｒｐｏｇｌｙｐｈｉｄａｅ、
ｉｉ）Ｄｅｒｍａｔｏｐｈａｇｏｉｄｅｓ属、例えば、Ｄｅｒｍａｔｏｐｈａｇｏｉｄｅｓ  ｐｔｅｒｏｎｙｓｉｎｕｓ、Ｄｅｒｍａｔｏｐｈａｇｏｉｄｅｓ  ｆａｒｉｎａｅ；Ｅｕｒｏｇｌｙｐｈｕｓ属、例えば、Ｅｕｒｏｇｌｙｐｈｕｓ  ｌｏｎｇｉｏｒ、Ｅｕｒｏｇｌｙｐｈｕｓ  ｍａｙｎｅｉ；Ｐｙｒｏｇｌｙｐｈｕｓ属、例えば、Ｐｙｒｏｇｌｙｐｈｕｓ  ａｆｒｉｃａｎｕｓからなどのＰｙｒｏｇｌｙｐｈｉｄａｅ、
ｉｉｉ）Ｄｉａｍｅｓｏｇｌｙｐｈｕｓ属、例えば、Ｄｉａｍｅｓｏｇｌｙｐｈｕｓ  ｉｎｔｅｒｍｅｄｉｕｓｏｒ、Ｃｔｅｎｏｇｌｙｐｈｕｓ属、例えば、Ｃｔｅｎｏｇｌｙｐｈｕｓ  ｐｌｕｍｉｇｅｒ、Ｃｔｅｎｏｇｌｙｐｈｕｓ  ｃａｎｅｓｔｒｉｎｉｉ、Ｃｔｅｎｏｇｌｙｐｈｕｓ  ｐａｌｍｉｆｅｒからなどのＣｔｅｎｏｇｌｙｐｈｉｎａｅ亜科；Ｂｌｏｍｉａ属、例えば、Ｂｌｏｍｉａ  ｆｒｅｅｍａｎｉ又はＧｌｙｃｙｐｈａｇｕｓ属、例えば、Ｇｌｙｃｙｐｈａｇｕｓ  ｏｒｎａｔｕｓ、Ｇｌｙｃｙｐｈａｇｕｓ  ｂｉｃａｕｄａｔｕｓ、Ｇｌｙｃｙｐｈａｇｕｓ  ｐｒｉｖａｔｕｓ、Ｇｌｙｃｙｐｈａｇｕｓ  ｄｏｍｅｓｔｉｃｕｓ又はＬｅｐｉｄｏｇｌｙｐｈｕｓ属、例えば、Ｌｅｐｉｄｏｇｌｙｐｈｕｓ  ｍｉｃｈａｅｌｉ、Ｌｅｐｉｄｏｇｌｙｐｈｕｓ  ｆｕｓｔｉｆｅｒ、Ｌｅｐｉｄｏｇｌｙｐｈｕｓ  ｄｅｓｔｒｕｃｔｏｒ又はＡｕｓｔｒｏｇｌｙｃｙｐｈａｇｕｓ属、例えば、Ａｕｓｔｒｏｇｌｙｃｙｐｈａｇｕｓ  ｇｅｎｉｃｕｌａｔｕｓからなどのＧｌｙｃｙｐｈａｇｉｎａｅ亜科；Ａｅｒｏｇｌｙｐｈｕｓ属、例えば、Ａｅｒｏｇｌｙｐｈｕｓ  ｒｏｂｕｓｔｕｓからなどのＡｅｒｏｇｌｙｐｈｉｎａｅ亜科；Ｇｏｈｉｅｒｉａ属、例えば、Ｇｏｈｉｅｒｉａ．  ｆｕｓｃａからなどのＬａｂｉｄｏｐｈｏｒｉｎａｅ亜科；Ｃｏｐｒｏｇｌｙｐｈｕｓ属、例えば、Ｃｏｐｒｏｇｌｙｐｈｕｓ  ｓｔａｍｍｅｒｉｏｒからなどのＮｙｃｔｅｒｉｇｌｙｐｈｉｎａｅ亜科；Ｃｈｏｒｔｏｇｌｙｐｈｕｓ属、例えば、Ｃｈｏｒｔｏｇｌｙｐｈｕｓ  ａｒｃｕａｔｕｓ等のＣｈｏｒｔｏｇｌｙｐｈｉｄａｅ亜科からなどの、より好ましくは、Ｇｌｙｃｙｐｈａｇｉｎａｅ亜科から選択され、より好ましくは、Ｇｌｙｃｙｐｈａｇｕｓ属又はＬｅｐｉｄｏｇｌｙｐｈｕｓ属から選択され、最も好ましくは、Ｇｌｙｃｙｐｈａｇｕｓ  ｄｏｍｅｓｔｉｃｕｓ又はＬｅｐｉｄｏｇｌｙｐｈｕｓ  ｄｅｓｔｒｕｃｔｏｒから選択されるＧｌｙｃｙｐｈａｇｉｄａｅ
ｉｖ）Ｔｙｒｏｐｈａｇｕｓ属、例えば、Ｔｙｒｏｐｈａｇｕｓ  ｐｕｔｒｅｓｃｅｎｔｉａｅ、Ｔｙｒｏｐｈａｇｕｓ  ｔｒｏｐｉｃｕｓ；Ａｃａｒｕｓ属、例えば、Ａｃａｒｕｓ  ｓｉｒｏ、Ａｃａｒｕｓ  ｆａｒｒｉｓ、Ａｃａｒｕｓ  ｇｒａｃｉｌｉｓ；Ｌａｒｄｏｇｌｙｐｈｕｓ属、例えば、Ｌａｒｄｏｇｌｙｐｈｕｓ  ｋｏｎｏｉ；Ｔｈｙｒｅｏｐｈａｇｕｓ  ｅｎｔｏｍｏｐｈａｇｕｓ等のＴｈｙｒｅｏｐｈａｇｕｓ属；Ａｌｅｕｒｏｇｌｙｐｈｕｓ属、例えば、Ａｌｅｕｒｏｇｌｙｐｈｕｓ  ｏｖａｔｕｓからなどの、Ａｃａｒｉｄａｅ、
ｖ）Ｓｕｉｄａｓｉａ  ｎｅｓｂｉｔｉ、Ｓｕｉｄａｓｉａ  ｐｏｎｔｉｆｉｃａ又はＳｕｉｄａｓｉａ  ｍｅｄａｎｅｎｓｉｓ等のＳｕｉｄａｓｉａ属からなどの、Ｓｕｉｄａｓｉｉｄａｅ
から選択することができる。
【００１６】
Ａｓｔｉｇｍａｔａに関する記述は、Ｈｕｇｈｅｓ（１９７７）に提示されている。好ましいＡｓｔｉｇｍａｔｉｄダニは、Ｌｅｐｉｄｏｇｌｙｐｈｕｓ  ｄｅｓｔｒｕｃｔｏｒ、Ｃａｒｐｏｇｌｙｐｈｉｄａｅ、例えば、Ｃａｒｐｏｇｌｙｐｈｕｓ属、例えば、Ｃａｒｐｏｇｌｙｐｈｕｓ  ｌａｃｔｉｓ、Ｔｈｙｒｅｏｐｈａｇｕｓ属、例えば、Ｔｈｙｒｅｏｐｈａｇｕｓ  ｅｎｔｏｍｏｐｈａｇｕｓ、Ａｃａｒｉｄａｅ、Ｓｕｉｄａｓｉａ  ｐｏｎｔｉｆｉｃａ又はＳｕｉｄａｓｉａ  ｍｅｄａｎｅｎｓｉｓから選択することができる。又は、Ｂｌｏｍｉａ  ｓｐｐ．から選択することができる。
【００１７】
本発明において、Ａｓｔｉｇｍａｔｉｄ個体の少なくとも一部分が不動化されている。本発明の文脈内において、不動化という用語は、Ａｓｔｉｇｍａｔｉｄ個体が、不動化処理に付されたことを意味するものと解釈されるべきである。不動化処理は、Ａｓｔｉｇｍａｔｉｄ個体がその生活段階のいずれかにおいて有する運動性を損なう処理を意味するものと解釈されるべきである。運動性とは、自発的及び独立的に動く能力である。
【００１８】
当業者であれば認識できる通り、運動性があるＡｓｔｉｇｍａｔｉｄダニの生活段階は、幼虫、若虫及び成虫である。よって、これらの段階のいずれかの運動性を損なう処理は、不動化処理であると考慮されるべきである。加えて、個体が卵段階等の運動性でない生活段階から運動性である生活段階へと発育するのを防止する処理も、不動化処理として考慮されるべきである。好ましい一実施形態において、不動化されたＡｓｔｉｇｍａｔｉｄダニ個体の個体群は、卵、幼虫、若虫又は成虫、好ましくはこれらの生活段階の全てを含む。更に好ましい一実施形態において、Ａｓｔｉｇｍａｔｉｄ個体は、永続的に不動化されている。死をもたらす処理は、永続的な不動化処理として考慮することができる。
【００１９】
本発明において、Ａｓｔｉｇｍａｔｉｄ個体は、凍結、加熱、低温ショック又は熱ショック処理等の熱処理；ガス処理又は燻蒸処理、例えば、ガス窒息又はアルコール若しくはエーテル燻蒸処理、好ましくはエタノール燻蒸処理等の化学処理；ＵＶ、マイクロ波又はＸ線処理等の放射線照射処理；激しい振盪又は撹拌、ずり応力の印加、衝突等の機械的処理；超音波処理、圧力変化、好ましくは圧力降下等のガス圧処理；感電死等の電気的処理；接着剤による不動化；又は水若しくは食物欠乏による誘導等の飢餓による不動化；空気からの一時的な酸素の排除又は別のガスによる酸素の置換等、窒息による不動化から選択される不動化処理により不動化することができる。当業者であれば、これらの処理が、どのようにしてＡｓｔｉｇｍａｔｉｄ個体の不動化をもたらすか、また、不動化処理が、Ａｓｔｉｇｍａｔｉｄ個体が依然として捕食性ダニ個体に適した餌（食物源）のままであるようなものであるべきことを理解するだろう。
【００２０】
熱処理は、Ａｓｔｉｇｍａｔｉｄ個体を十分に長い時間、不動化が誘導されるように環境範囲外の温度に付すことにより行うことができる。環境範囲外の温度は、例えば、３℃以下、２℃以下、１℃以下、０℃以下、−１℃以下、−２℃以下、−３℃以下、−４℃以下、−５℃以下、−６℃以下、−７℃以下、−８℃以下、−９℃以下、−１０℃以下、−１８℃以下、−２０℃以下から選択することができる。実用限界以外に環境範囲外の温度の下限はなく、環境範囲外の温度は、−７８℃、−７９℃、−８０℃、−１９４℃、−１９５℃、−１９６℃、−１９７℃もの低さとなり得る。或いは、環境範囲外の温度は、４０℃以上、４１℃以上、４２℃以上、４３℃以上、４４℃以上、４５℃以上、４６℃以上、４７℃以上、４８℃以上、４９℃以上、５０℃以上から選択することができる。環境範囲外の温度は、５５℃、６０℃又は６５℃、７０℃、７５℃、８０℃もの高さとなり得る。
【００２１】
化学処理は、Ａｓｔｉｇｍａｔｉｄ個体を十分に長い時間、不動化が誘導されるように不動化用化学物質に付すことにより行うことができる。不動化用化学物質は、ガス又は燻蒸、例えば、ＣＯ２、Ｎ２、ＣＯ、ＮＯ、ＮＯ２等の、酸素を排出することにより及び／又は毒性であるために窒息をもたらすガスの形態となり得る。或いは、不動化用化学物質は、動物生理を妨げる可能性があることが知られた異なる化学物質、例えば、エタノール若しくはメタノール又はその組み合わせ等のアルコール、又はジエチルエーテル等のエーテルとなり得る。不動化されたＡｓｔｉｇｍａｔｉｄ個体は、捕食性ダニのための食物源として供されるため、好ましくは、不動化用化学物質は、毒性痕跡を残さない。
【００２２】
放射線照射処理は、Ａｓｔｉｇｍａｔｉｄ個体を十分に長い時間、不動化が誘導されるように不動化放射線照射に付すことにより行うことができる。不動化放射線照射は、ＵＶ、Ｘ線又はマイクロ波照射から選択することができる。
【００２３】
機械的手段による不動化は、十分なエネルギーを散逸させて不動化効果を生じるいずれかの機械的手段により行うことができる。これは、特に、不動化対象のダニと衝突することができる粒子の存在下における、激しい振盪又は撹拌により達成することができる。衝突は、ガス流によるダニの加速及びガスフローを少なくとも部分的に遮断する多数の対象物に対する衝突によって、又はダニを、好ましくは乱流ガスフロー（乱気流等）に運ばれる追加的な粒子と共に乱流ガスフローに置き、ダニをこれらの粒子と衝突させることによって引き起こすこともできる。或いは、超音波処理を用いてもよい。
【００２４】
異なる実施形態において、Ａｓｔｉｇｍａｔｉｄダニは、接着剤により不動化することができる。例えば、Ａｓｔｉｇｍａｔｉｄダニを表面に固着させることにより、或いはその肢を固着させることにより、その運動性を弱めることができる。
【００２５】
飢餓は、不動化を達成するための更に別の手段となり得る。飢餓は、水又は食物欠乏により引き起こすことができる。水及び食物の欠乏は、入手できる水又は食物の量が、ダニの環境における既存の条件下での正常な代謝に必要とされる量に満たない状況を考慮されるべきである。
【００２６】
不動化処理は、Ａｓｔｉｇｍａｔｉｄダニの個体の少なくとも一部分の不動化に十分に有効となる必要がある。少なくとも一部分とは、一部分又は実質的に全体を意味するものと理解されるべきである。不動化されたＡｓｔｉｇｍａｔｉｄ個体の一部分は、１０％以上、２０％以上、３０％以上、４０％以上、５０％以上、６０％以上、７０％以上、８０％以上、９０％以上、９５％以上又は９７％以上であり得る。好ましくは、不動化されたＡｓｔｉｇｍａｔｉｄ個体の一部分は、５０〜９０％、より好ましくは、７０〜９０％である。不動化されたＡｓｔｉｇｍａｔｉｄ個体の一部分は、卵、幼虫、若虫又は成虫から選択されるＡｓｔｉｇｍａｔｉｄダニの１つ以上の生活段階を含む。
【００２７】
よって、本発明において、Ａｓｔｉｇｍａｔｉｄ個体によって捕食者に提示されるストレスの抑制の点においてプラスの効果を得るために、Ａｓｔｉｇｍａｔｉｄ個体の個体群が、完全に死んでいる又は不活性（不動化されていない運動性部分が存在し得るため）である必要はない。加えて、運動性Ａｓｔｉｇｍａｔｉｄ個体の小個体群の存在は、後述するその食菌性挙動、抗真菌性滲出液の産生及び／又は新鮮な（生きた）食物源の提供により、更なる利益を提示し得る。また、不動化されたＡｓｔｉｇｍａｔｉｄ個体は、代謝的に不活性である必要はない。特定の不動化処理は、運動性を弱めつつ、代謝活性を維持することができる。代謝的に活性な不動化されたＡｓｔｉｇｍａｔｉｄ個体は、捕食者のための新鮮な食物源と考慮することもできる。
【００２８】
本発明において、不動化されたＡｓｔｉｇｍａｔｉｄ個体、及び、存在する場合には任意の非不動化個体は、同一種からのものであり得る。しかし、特定の実施形態において、不動化されたＡｓｔｉｇｍａｔｉｄ個体、及び、存在する場合には任意の非不動化個体は、代わりに、異なる種からのものであり得る。これにより、組成物に存在するＡｓｔｉｇｍａｔｉｄ種の選択に可変性が生じる。特定の種からの個体は、不動化された食物源としての使用に好ましくなり得る一方、他の種からの個体は、真菌抑制等の、生きた個体により為される機能のために好ましくなり得る。
【００２９】
本発明による組成物において、Ａｓｔｉｇｍａｔｉｄ個体に対する捕食性個体の比率は、約１００：１〜１：１００、例えば、約１：１〜１：５０、例えば、約１：４、１：１０、１：２０又は１：３０等となり得る。よって、本発明による組成物は、より低い比率の、Ａｓｔｉｇｍａｔｉｄ個体に対する捕食性個体を含有し得る。よって、より多くの餌が捕食者に利用できる。このことは捕食性ダニを飼育する場合に有益である。
【００３０】
本発明の組成物について上に記載の通り、担体を含む培地において、より高い捕食者密度を維持することができる。よって、好ましい一実施形態において、組成物は、担体及び、担体１ｍｌ当たり１０以上、５０以上、１００以上、１５０以上、２００以上、２５０、３００以上、３５０以上、４００以上、最大４５０匹の捕食性個体、好ましくはＰｈｙｔｏｓｅｉｉｄ個体を含有する。
【００３１】
真菌抑制のため、不動化されたＡｓｔｉｇｍａｔｉｄ個体は、真菌抑制剤に接触させられる。不動化されたＡｓｔｉｇｍａｔｉｄ個体と真菌抑制剤との接触において、真菌抑制剤は、その抗真菌性作用を発揮することができるように、不動化されたＡｓｔｉｇｍａｔｉｄ個体、好ましくは、実質的に全体的に不動化されたＡｓｔｉｇｍａｔｉｄ個体に接近することができる。従って、真菌抑制剤との接触は、真菌抑制効果が得られるようなものである。当業者であれば理解できようが、この真菌抑制効果は、組成物における捕食者の飼育に十分なものとなる必要がある。真菌抑制剤と不動化されたＡｓｔｉｇｍａｔｉｄ個体との接触のため、Ａｓｔｉｇｍａｔｉｄ個体のための食物源等の、不動化されたＡｓｔｉｇｍａｔｉｄ個体に関連するいかなる材料を真菌抑制剤と接触させてもよく、従って、真菌抑制処理に有効に付してもよい。
【００３２】
真菌抑制剤は、例えば、真菌生育を遅らせる又は防止することにより、例えば真菌代謝を妨げることにより、又は真菌バイオマスの破壊により真菌生育を抑制させることにより、真菌生育を抑制するいずれかの薬剤である。真菌抑制剤は、天然又は合成の殺真菌薬等、例えば、シトラール、ネラール、２，３−エポキシネラール、ゲラニアール、ファルネサール（farnesal）、α−アカラディアール（acaradial）、β−アカラディアール又はナタマイシン（ピマリシン）から選択される天然殺真菌薬等の、化学的真菌抑制剤を含み得る。
【００３３】
或いは、真菌抑制剤は、食真菌性（fungivorous）ダニ個体の個体群等の、生物学的真菌抑制剤を含み得る。食真菌性（又は食菌性）ダニは、真菌バイオマスを常食とするダニであり、よって、真菌生育を抑制及び制御することができる。好ましくは、食真菌性ダニ個体は、Ｔｙｒｏｐｈａｇｕｓ  ｐｕｔｒｅｓｃｅｎｔｉａｅ、Ｔｈｙｒｅｏｐｈａｇｕｓ  ｅｎｔｏｍｏｐｈａｇｕｓ、Ａｃａｒｕｓ  ｆａｒｒｉｓ、Ａｃａｒｕｓ  ｓｉｒｏ、Ａｌｅｕｒｏｇｌｙｐｈｕｓ  ｏｖａｔｕｓ等の、Ａｃａｒｉｄａｅ；Ｌｅｐｉｄｏｇｌｙｐｈｕｓ  ｄｅｓｔｒｕｃｔｏｒ、Ｇｌｙｃｙｐｈａｇｕｓ  ｄｏｍｅｓｔｉｃｕｓ等の、Ｇｌｙｃｙｐｈａｇｉｄａｅ；Ｃａｒｐｏｇｌｙｐｈｕｓ  ｌａｃｔｉｓ等の、Ｃａｒｐｏｇｌｙｐｈｉｄａｅ；Ｓｕｉｉｄａｓｉａ  ｐｏｎｔｉｆｉｃａ、Ｓｕｉｄａｓｉａ  ｍｅｄａｎｅｎｓｉｓ、Ｓｕｉｉｄａｓｉａ  ｎｅｓｂｉｔｉ等の、Ｓｕｉｉｄａｓｉｄａｅ；Ｄｅｒｍａｔｏｐｈａｇｏｉｄｅｓ  ｆａｒｉｎａｅ、Ｄｅｒｍａｔｏｐｈａｇｏｉｄｅｓ  ｐｔｅｒｏｎｙｓｓｉｎｕｓ等の、Ｐｙｒｏｇｌｙｐｈｉｄａｅから選択される種等の、Ａｓｔｉｇｍａｔｉｄ種からのものである。当業者であれば、その食菌性機能を果たすために、食真菌性ダニ個体は、生きている必要があり、好ましくは、運動性がある必要があることを理解されよう。運動性のある食真菌性個体は、Ａｓｔｉｇｍａｔｉｄ個体の非不動化部分の少なくとも一部を形成し得る。
【００３４】
生物学的真菌抑制剤は、シトラール、ネラール、ゲラニアール、ファルネサール、α−アカラディアール又はβ−アカラディアール等の、抗真菌性滲出液を産生するダニ種の個体群として選択することもできる。このような抗真菌性滲出液を産生するダニ種は、Ａｓｔｉｇｍａｔａ目、好ましくは、Ｌｅｐｉｄｏｇｌｙｐｈｕｓ  ｄｅｓｔｒｕｃｔｏｒ、Ａｃａｒｕｓ  ｓｉｒｏ、Ｌａｒｄｏｇｌｙｐｈｕｓ  ｋｏｎｏｉ、Ｃａｌｏｇｌｙｐｈｕｓ  ｐｏｌｙｐｈｙｌｌａｅ；Ｔｙｒｏｐｈａｇｕｓ  ｐｕｔｒｅｓｅｃｎｔｉａｅ、Ｔｙｒｏｐｈａｇｕｓ  ｎｅｉｓｗａｎｄｅｒｉ、Ｔｙｒｏｐｈａｇｕｓ  ｐｅｒｎｉｓｃｉｏｓｕｓ；Ｒｈｉｚｏｇｌｙｐｈｕｓ  ｒｏｂｉｎｉ；Ｃａｒｐｏｇｌｙｐｈｕｓ  ｌａｃｔｉｓ等の、Ｃａｒｐｏｇｌｙｐｈｉｄａｅ属；Ｓｕｉｉｄａｓｉａ  Ｐｏｎｔｉｆｉｃａ、Ｓｕｉｄａｓｉａ  ｍｅｄａｎｅｎｓｉｓ、Ｓｕｉｉｄａｓｉａ  ｎｅｓｂｉｔｉ等の、Ｓｕｉｉｄａｓｉｄａｅから選択することができる。抗真菌性滲出液を産生するダニ個体に運動性がある必要はない。接着剤を使用することによる不動化又は特定の機械的不動化技法等、特定の不動化処理は、抗真菌性滲出液を産生するダニ個体の代謝活性を維持することができ、これによって、抗真菌性滲出液の産生も可能にする。しかし、これを用いる場合、抗真菌性滲出液を産生するダニ個体は、運動性があることが好ましい。このようにして、抗真菌性滲出液は、組成物中により有効に分布させることができる。運動性のある抗真菌性滲出液を産生するダニ個体は、Ａｓｔｉｇｍａｔｉｄ個体の非不動化部分の少なくとも一部を形成し得る。
【００３５】
Ａｓｔｉｇｍａｔａが、所望の食菌性挙動又は抗真菌性滲出液産生活性を有する多くの種を保持するという事実を考慮すると、この目から食真菌性ダニ種及び抗真菌性滲出液を産生するダニ種を選択することが好ましい。加えて、この目からの種は、捕食性ダニ個体のための餌として機能することもできる。運動性（非不動化）Ａｓｔｉｇｍａｔｉｄ個体は、捕食性個体のための追加的な食物源を提供し得る。これは、捕食者に新鮮な食物源を提示するであろう。これは、不動化された餌ダニにおいて十分に保存され得ないビタミン等、不安定な栄養素を捕食者に提供するために重要となり得る。これは、捕食性ダニの健康状態を高め得る。この健康状態は、捕食行動の点における捕食者の多用途性及び／又は敏捷性に寄与する要因となり得る。
【００３６】
本発明の一実施形態において、組成物は、Ａｓｔｉｇｍａｔｉｄ個体に適した食物物質を含む。適した食物物質の選択は、当業者の知識の範囲内であり、例えば、ＷＯ２００６／０５７５５２、ＷＯ２００６／０７１１０７、ＷＯ２００７／０７５０８１、ＷＯ２００８／０１５３９３、ＷＯ２００８／１０４８０７及びＥＰ２２３２９８６に開示されている。適した食物物質の存在は、組成物が生きたＡｓｔｉｇｍａｔｉｄ個体を含む場合に有益である。しかし、組成物が、死んだＡｓｔｉｇｍａｔｉｄ個体のみを含む場合においても、Ａｓｔｉｇｍａｔｉｄダニの飼育培地からの食物源の移動のため、食物物質が組成物中に存在していてもよい。
【００３７】
この構成は、上述のＥＰ２３８０４３６の組成物との主要な違いである。Ａｓｔｉｇｍａｔｉｄダニの食物源の残部はいずれも、真菌にとっての潜在的な基質であり、真菌生育を促進するであろう。従って、ＥＰ２３８０４３６は、食物源の除去を必要とする。ＥＰ２３８０４３６は、枯渇による食物源の除去を示唆する。しかし、これは非実際的であり、Ａｓｔｉｇｍａｔｉｄダニの飼育が、Ａｓｔｉｇｍａｔｉｄダニの個体群発達ではなく、食物源の状態に基づいて制御されなければならないことを意味するであろう。飼育の実施において、これは望ましくない。加えて、連続的なプロセスが不可能になり、飼育は、不連続的に行う必要がある。その他の手段による食物源の除去は、骨の折れる作業であり、Ａｓｔｉｇｍａｔｉｄバイオマスを失う傾向があり、非効率性の原因を導入する。真菌抑制のための特定の実施形態において、食物源を真菌抑制剤と接触させてよいという事実を考慮すると、本発明による組成物において、食物源の除去は必要ない。真菌抑制剤との接触は、真菌抑制効果が得られるようなものである。当業者であれば理解できようが、この真菌抑制効果は、組成物において捕食者を飼育するのに十分なものとなるべきである。
【００３８】
好ましい一実施形態において、組成物は、ダニ種の個体のための担体を含む。担体は、個体への担体表面の提供に適したいかなる固体材料であってもよい。好ましくは、担体は、ダニ個体群によって、並びに担体、Ａｓｔｉｇｍａｔｉｄ餌ダニのための食物源の代謝活動によって、並びに培地上で生育する微生物によって、産生された代謝ガス及び代謝熱の交換を可能にする多孔性培地を提供する。適した担体の例として、（コムギ）ふすま、おがくず、トウモロコシ穂軸の粗挽き（corn cob grit）、バーミキュライト等々、植物材料が挙げられる。Ａｓｔｉｇｍａｔｉｄ個体に適した食物物質が組成物中に包含される場合、担体それ自体が、適した食物物質を含むことができる。三次元培養物としてダニ培養物を維持する可能性を考慮すると、細かく分割された担体要素を含む担体の使用が一般的である。
【００３９】
好ましい一実施形態において、ダニ種の個体のための担体は、担体要素、好ましくは、約１．０〜１５．０ｍｍ、例えば３．０〜９．０ｍｍの最長軸を有する担体要素を含み、担体要素の積み重なりは、捕食性ダニ個体に適したシェルターを含む。一般用語において、シェルターは、外部影響からの避難所を提供する居所として定義することができる。本発明による担体のシェルターは、これをダニ個体に提供する。本発明の開示に基づき、当業者に共通の一般知識と組み合わせると、当業者であれば、ダニシェルターの構造的要件を理解することができよう。よって、当業者であれば、ダニシェルター、特に、捕食性ダニ又は飼育用餌から選択される商業的に関連するダニに適したシェルターを含む適切な担体を設計及び／又は選択することができよう。
【００４０】
本発明の一実施形態において、シェルターは、担体要素の材料がダニ個体を遮蔽する区域において提供され得、この区域に位置する場合、直交性又は逆向きの関係を有する少なくとも３方向において、その周囲から遮蔽する。周囲からの遮蔽とは、妨害性の外部相互作用を少なくとも抑制する、好ましくは制限する、最も好ましくは実質的に排除することとして理解されるべきである。このような妨害性の外部相互作用は、特に、例えば、運動及び関連する他のダニとの身体接触などの、組成物中の他のダニによって産生又はもたらされる。しかし、例えば、ダニが捕食性ダニである場合、同じ種の個体による共食い性の捕食の可能性もある。あらゆる捕食性ダニは、ある程度まで、共食い行動を示すことを理解されるべきである。このような妨害性相互作用は、ダニ個体の産卵速度、生存及び長寿命のうち１つ以上に悪影響を及ぼすため、個体群発達速度に悪影響を及ぼす。同種の捕食性ダニ個体間のこのような妨害性相互作用の強度は、通常、より高い個体群密度において増加するであろう。しかし、ダニの商業的生産者は、可能な限り生産コストを抑制するために、高い個体群密度と、可能な限り高い個体群発達速度の達成を目標とする。本発明の一実施形態において、シェルター化は、妨害性相互作用からダニ個体を遮蔽することにより達成することができる。この遮蔽は、ダニ個体への接近を抑制させることにより達成することができる。
【００４１】
理解されるように、直交性又は逆向きの関係を有する方向は、ダニ個体が原点に存在する場合、原点（０，０，０）からの方向における仮想の直交性（又はデカルト（Cartesian））三次元座標系の６軸（正のＸ、負のＸ、正のＹ、負のＹ、正のＺ、負のＺ）に沿った方向に相当する。これらの方向は、垂直（直交性）又は逆向きいずれかの方向である。図１に描写されている通り、三次元空間において、これらの方向の最大数は６である。
【００４２】
本発明の一実施形態において、ダニ個体は、シェルター区域に位置する場合、このような方向の少なくとも３方向、好ましくは、このような方向の少なくとも４方向、最も好ましくは、このような方向の少なくとも５方向、例えばこのような方向の５方向において、その周囲から遮蔽される。このような方向の３方向における遮蔽は、図２に提示又は図３に提示されている構造等、３平面間に形成される角と同様の構造によって提供することができる。このような方向の少なくとも４方向における遮蔽は、図４に提示されている２側面が開口した「箱」等の構造によって提供することができる。５方向における遮蔽は、開口した立方体が得られるように、４平面の「箱」の側壁に５番目の水平平面が配置された図３の状況において提供できよう。
【００４３】
組成物における他のダニによってもたらされる外部影響からダニ個体を遮蔽するために、シェルターは、シェルターの体積が１〜１４０ｍｍ３、例えば、２〜１２０ｍｍ３、２〜１００ｍｍ３、２〜８０ｍｍ３、２〜７０ｍｍ３、２〜６０ｍｍ３、２〜５０ｍｍ３、２〜４０ｍｍ３、２〜３０ｍｍ３、２〜２５ｍｍ３、２〜２０ｍｍ３、２〜１８ｍｍ３、２〜１６ｍｍ３、２〜１４ｍｍ３、２〜１２ｍｍ３、２〜１０ｍｍ３、２〜８ｍｍ３、２〜６ｍｍ３又は２〜４ｍｍ３となるような寸法を有することが好ましい。これにより、シェルター中に、妨害効果を生じ得る過剰に多いダニ個体が存在する可能性を抑制する。
【００４４】
シェルターにダニ個体が接近可能である必要があることが明らかである。この点において、ダニにとって接近可能でない区域は、シェルターとして認めることができないことが留意されるべきである。本発明の特定の実施形態において、ダニ個体にとって良好な接近可能性を有するために、区域は、少なくとも０．３〜１．２ｍｍ、例えば、０．５〜１．０ｍｍ又は０．５〜０．８ｍｍ接近直径と、少なくとも０．２５〜１．４４ｍｍ２、０．３０〜１．２０ｍｍ２、０．３０〜１．００ｍｍ２、０．３０〜０．８０ｍｍ２、０．３０〜０．９０ｍｍ２の接近区域で接近することができる。
【００４５】
ダニシェルターは、窪み、凹部、孔、チャンバ、空洞、隙間、凹み、ポケット、チューブ、ドーム、タブ及び同様の構造により形成された空隙等の空隙により提供することができる。好ましくは、上に記載の体積及び／又は接近の寸法と一致するこのような空隙は、ダニシェルターとして適している。
【００４６】
ダニ個体のためのシェルターは、積み重なって存在する個々の担体要素の上又はその中に存在することができる。即ち、積み重ねた個々の担体要素は、ダニシェルターとして適した構造を含む。或いは、ダニシェルターは、積み重ねた担体要素間に形成することができる。即ち、担体要素の積み重なりにおいて、複数の担体要素が一体に、ダニシェルターとして適した構造を形成する。「担体要素の積み重なり」は、多数の担体要素の三次元的な順序付けを意味するものと理解されるべきである。用語「順序付け」は、ランダムな順序付けを包含する。
【００４７】
本発明の範囲内において、もみ殻に由来する担体要素を用いることができる。当業者であれば、もみ殻という用語の意味を知り、もみ殻が、草種（特に穀物）の種子の乾燥した鱗片状の保護的な外皮（殻）である、又は花の鱗片状部分若しくは細かく刻んだわら等の、類似の細かい乾燥した鱗片状の植物材料であることを理解できよう。好ましい一実施形態において、もみ殻は、草（イネ科植物（Ｐｏａｃｅａｅ）又はイネ科植物（Ｇｒａｍｉｎｅａｅ））種に由来し、最も好ましくは、コムギ、オリザ（ｏｒｙｚａ）種、ライムギ、カラスムギ又はアワからのもみ殻等の穀類種からのもみ殻である。殻が特に好ましい。特に、アワ由来の殻は、優れた外部寸法及び内部寸法を有し、これにより、適したシェルターを提供するダニ飼育用基質として非常に適したものとなる。
【００４８】
本発明の用語「アワ」に含まれる種は、トウジンビエ又はＢａｊｒａ（Ｐｅｎｎｉｓｅｔｕｍ  ｇｌａｕｃｕｍ）；フォックステイルミレット（Ｓｅｔａｒｉａ  ｉｔａｌｉｃａ）；キビ、コモンミレット、ブルームコーンミレット、ホッグミレット又はホワイトミレット（Ｐａｎｉｃｕｍ  ｍｉｌｉａｃｅｕｍ）；シコクビエ（Ｅｌｅｕｓｉｎｅ  ｃｏｒａｃａｎａ）（インドではＲａｇｉ、Ｎａｃｈａｎｉ又はＭａｎｄｗａとしても公知）、インドビエ又はサワミレット（Ｅｃｈｉｎｏｃｈｌｏａ  ｆｒｕｍｅｎｔａｃｅａ）；日本アワ（Ｅｃｈｉｎｏｃｈｌｏａ  ｅｓｃｕｌｅｎｔａ）；コドミレット（Ｐａｓｐａｌｕｍ  ｓｃｒｏｂｉｃｕｌａｔｕｍ）；リトルミレット（Ｐａｎｉｃｕｍ  ｓｕｍａｔｒｅｎｓｅ）；ギニアミレット（Ｂｒａｃｈｉａｒｉａ  ｄｅｆｌｅｘａ＝Ｕｒｏｃｈｌｏａ  ｄｅｆｌｅｘａ）；ブラウントップミレット（Ｕｒｏｃｈｌｏａ  ｒａｍｏｓａ＝Ｂｒａｃｈｉａｒｉａ  ｒａｍｏｓａ＝Ｐａｎｉｃｕｍ  ｒａｍｏｓｕｍ）を包含する。テフ（Ｅｒａｇｒｏｓｔｉｓ  ｔｅｆ）及びフォニオ（Ｄｉｇｉｔａｒｉａ  ｅｘｉｌｉｓ）もまた、アワと呼ばれることが多く、より稀ではあるが、ソルガム（Ｓｏｒｇｈｕｍ  ｓｐｐ．）及びハトムギ（Ｃｏｉｘ  ｌａｃｒｉｍａ−ｊｏｂｉ）も同様である。本発明のため、これらの種もまた、用語「アワ」に含まれる。
【００４９】
ダニシェルターの提供に適した担体要素の寸法及びその構造配置とは別に、生分解の観点から担体要素が不活性であることが好ましい。これは、担体材料が、真菌及び／又は細菌等の、微生物にとって不毛な生育的基質であることを意味する。これは、ダニ飼育条件下における潜在的な問題である真菌生育等の、微生物生育の制御に役立つ。上述のもみ殻及び特に好ましいもみ殻種類は、微生物、特に、真菌にとって不毛な生育的基質である。
【００５０】
更に別の態様において、本発明は、捕食性ダニを飼育するための方法であって、
（ｉ）本発明による組成物を用意するステップと、
（ｉｉ）捕食性個体に、Ａｓｔｉｇｍａｔｉｄ個体群の個体を捕食させるステップと
を含む方法に関する。
【００５１】
捕食性ダニを飼育するための方法であって、捕食者の個体群を、Ａｓｔｉｇｍａｔｉｄダニの個体群と関連させ、捕食者の個体に、Ａｓｔｉｇｍａｔｉｄ個体群の個体を捕食させる方法は、本技術分野において公知のものである。本発明による方法は、本発明による組成物において、Ａｓｔｉｇｍａｔｉｄ個体の少なくとも一部分が不動化され、不動化されたＡｓｔｉｇｍａｔｉｄ個体が真菌抑制剤に接触されるという点において、先行技術の方法と区別される。
【００５２】
本発明による組成物の技術的側面は、既に上に記述されている。
【００５３】
本発明の更に別の一態様は、捕食性ダニを飼育するための、少なくとも１種のＡｓｔｉｇｍａｔｉｄダニ種からの個体の個体群を含む組成物であって、Ａｓｔｉｇｍａｔｉｄ個体の少なくとも一部分が不動化され、不動化されたＡｓｔｉｇｍａｔｉｄ個体が真菌抑制剤に接触される組成物の使用に関する。前述及び後述する実験から明らかであろうが、Ａｓｔｉｇｍａｔｉｄ個体の部分が不動化されたＡｓｔｉｇｍａｔｉｄダニ種の個体群の使用は、捕食性ダニを飼育するために特定の利益を有する。
【００５４】
本発明の更にまた別の一態様は、捕食性ダニを飼育するための飼育システムであって、本発明による組成物を収容する容器を含むシステムに関する。好ましい一実施形態において、容器は、好ましくは、捕食性ダニの少なくとも１つの運動性である生活段階のための出口、より好ましくは、前記少なくとも１つの運動性である生活段階の持続的な放出をもたらすのに適した出口を含む。
【００５５】
別の一態様において、本発明は、作物の有害生物を防除するための、本発明の組成物又は本発明による飼育システムの使用に関する。
【００５６】
有害生物は、Ｔｒｉａｌｅｕｒｏｄｅｓ  ｖａｐｏｒａｒｉｏｒｕｍ若しくはＢｅｍｉｓｉａ  ｔａｂａｃｉ等のコナジラミ類；Ｔｈｒｉｐｓ  ｔａｂａｃｉ等のアザミウマ又はＦｒａｎｋｌｉｎｉｅｌｌａ  ｏｃｃｉｄｅｎｔａｌｉｓ等のＦｒａｎｋｌｉｎｉｅｌｌａ  ｓｐｐ．、Ｔｅｔｒａｎｙｃｈｕｓ  ｕｒｔｉｃａｅ等のハダニ又はＰｏｌｙｐｈａｇｏｔａｒｓｏｎｅｍｕｓ等の他の植物食性ダニから選択することができる。
【００５７】
作物は、トマト（Ｌｙｃｏｐｅｒｓｉｃｏｎ  ｅｓｃｕｌｅｎｔｕｍ）、トウガラシ（pepper）（Ｃａｐｓｉｃｕｍ  ａｎｎｕｕｍ）、ナス（Ｓｏｌａｎｕｍ  ｍｅｌｏｇｅｎａ）、キュウリ（ｃｕｃｕｍｉｓ  ｓａｔｉｖａ）、メロン（ｃｕｃｕｍｉｓ  ｍｅｌｏ）、スイカ（Ｃｉｔｒｕｌｌｕｓ  ｌａｎａｔｕｓ）等のウリ科植物（Curcubits）（Ｃｕｃｕｒｂｉｔａｃｅａｅ）等の（温室）野菜作物；マメ（Ｐｈａｓｅｏｌｕｓ  ｖｕｌｇａｒｉｓ）；ソフトフルーツ（イチゴ（Ｆｒａｇａｒｉａ×ａｎｎａｎａｓｓａ）、ラズベリー（Ｒｕｂｕｓ  ｉｄｅａｕｓ）等）；（温室）観賞用作物（バラ、ガーベラ、キク等）又はＣｉｔｒｕｓ  ｓｐｐ．等の樹木作物から選択することができるが、これらに制限されない。
【００５８】
本発明の更に別の一態様は、作物における生物学的有害生物防除のための方法に関する。本方法は、本発明の組成物を前記作物に与えるステップを含む。有害生物及び作物は、上述通りに選択することができる。
【００５９】
本発明による方法において、組成物は、近傍において、例えば、多数の作物植物の上に又はその基礎に、前記組成物の量を適用することにより与えることができる。組成物は、増強的生物学的有害生物防除のための捕食性ダニ組成物利用の慣例通りに、作物植物上に又は作物植物の基礎に拡散させることにより、単純に作物植物に与えることができる。拡散によって個々の作物植物それぞれに与えることのできる組成物の量は、１〜２０ｍｌから２０ｍｌ、例えば、１〜１０ｍｌ、好ましくは、２〜５ｍｌに及び得る。或いは、組成物は、作物における捕食性ダニの放出に適した本発明による飼育システムにおいて、多数の作物植物に与えることができる。飼育システムは、多数の作物の間又はその基礎等の、近傍に配置することができる。本発明による生物学的有害生物防除のための方法において、全作物植物に組成物を与える必要はない。商品作物は、通常、密集して栽培されるためである。捕食性ダニは、作物植物から作物植物へと拡散することができる。十分な作物保護を達成するために本発明による組成物を与えなければならない作物植物の数は、具体的な状況に依存し得、当業者が、この分野における自身の経験に基づき容易に決定することができる。通常、１ヘクタール当たりの放出される捕食性ダニの数を決定することが多い。この数は、１ヘクタール当たり１０００〜３百万、典型的には２５０．０００〜１百万又は２５０．０００〜５００．０００に及び得る。
【００６０】
次に、添付の図面及び実施例を参照しつつ、本発明をより詳細に説明する。これらの図面及び実施例は、単なる説明目的のものであり、特許請求の範囲に定義されている本発明の範囲を制限するものでは決してないことを強調したい。
【図面の簡単な説明】
【００６１】
【図１】図１は、三次元直交性（デカルト）座標系を提示する。軸Ｘ、Ｙ、Ｚに沿って、原点（０，０，０）からの６方向を定義することができる（正のＸに沿う、負のＸに沿う、正のＹに沿う、負のＹに沿う、正のＺに沿う、負のＺに沿う）。これらの方向は、垂直（直交性）又は逆向きのいずれかの方向である。
【図２】図２は、シェルターの図式的概観を提示し、図中、ダニ個体（１）は、矢印（２）、（３）、（４）で示される３方向において、その周囲との相互作用から遮蔽されている。シェルターは、床部平面（５）、第１の側方平面（６）及び第２の側方平面（７）によって提供される。相互作用による影響は、依然として、矢印（８）、（９）、（１０）で示される方向の周囲から来る可能性がある。
【図３】図３は、代替的なシェルターの図式的概観を提示し、図中、ダニ個体（１）は、矢印（２）、（３）、（４）で示される３方向において、その周囲との相互作用から遮蔽されている。シェルターは、床部平面（５）、第１の側方平面（６）及び第２の側方平面（７）によって提供される。相互作用による影響は、依然として、矢印（８）、（９）、（１０）で示される方向の周囲から来る可能性がある。
【図４】図４は、シェルターの図式的概観を提示し、図中、ダニ個体（１）は、矢印（２）、（３）、（４）、（８）で示される４方向において、その周囲との相互作用から遮蔽されている。シェルターは、床部平面（５）、第１の側方平面（６）、第２の側方平面（７）及び第３の側方平面（１１）によって提供される。相互作用による影響は、依然として、矢印（９）、（１０）で示される方向の周囲から来る可能性がある。側方平面（６）、（７）、（１１）に被覆平面を配置すれば、周囲の相互作用からダニ個体を更に遮蔽することができることは明らかであろう。加えて、更に別の側方平面を側方平面（７）と垂直に配置すれば、周囲からの遮蔽を更に増強することができる。このようにして、ダニ個体（１）は、矢印（１０）で示す方向において、周囲から遮蔽することもできよう。
【発明を実施するための形態】
【００６２】
図１〜４の略図は、長方形形状で提示されているが、窪み、凹部、孔、チャンバ、空洞、隙間、凹み、ポケット、チューブ、ドーム、タブ及び同様の構造等の、非長方形構造によって同様の遮蔽効果をもたらすことができることが理解されるべきである。
【実施例】
【００６３】
［実施例１］
＜セットアップ＞
６種の被験試料（Ａ）、（Ｂ）、（Ｃ）、（Ａ＋）、（Ｂ＋）、（Ｃ＋）において、カビ発生（moulding）試験を行った。これらの混合物は、次の成分から調製した。（１）あらゆる運動性である生活段階からなる純粋Ｃａｒｐｏｇｌｙｐｈｕｓ  ｌａｃｔｉｓの個体群。この試料は、食物粒子と関連せず、７０％（±１％）の含水量を有した。（２）閉鎖した容器内で２４時間−２０℃にて凍結し、使用前に解凍した（１）からのダニ。（３）は、閉鎖した容器内で４日間−２０℃にて凍結した、その飼育培地（ふすま及び食物粒子を含有）におけるＣａｒｐｏｇｌｙｐｈｕｓ  ｌａｃｔｉｓからなる。（４）湿ったバーミキュライト（粒子径＜２ｍｍ、含水量１５．８％）。これらの成分を用いて、数種類の混合物を、小型のカップ内に２回複製（in duplo）して調製した。同一セットのカップにおいて、０．１ｇ（±０，０１ｇ）の生きたＣａｒｐｏｇｌｙｐｈｕｓ  ｌａｃｔｉｓ（純粋）ダニを、全混合物に加えた。２種の湿度（９３％及び８５％）及び２５℃で、２、４及び６日目にカビ発生（菌糸体成長及び胞子形成）の重大度を観察した。
【００６４】
＜結果＞
結果を下表１．１に提示する。
【表１】
0006397334.tif 000002
【００６５】
結果は、４日目以降、生きたＣ．ｌａｃｔｉｓダニを含有しない全カップにおいて、有機物のカビ発生が明らかに目に見えたことを示す。純粋形態の凍結した餌ダニが、カビ発生に対し感受性が高いことが明らかに観察された。餌ダニ飼育培地が包含された場合、カビ発生に対する感受性は増加した。食物性物質が使用されなかった場合（Ａ＋及びＣ＋）、生きたダニは消失し、従って、カビ発生の見込みがあった。
【００６６】
カビ発生の種類は、形態が異なった。有機物が密接に接触した場合（担体又は小凝集塊なし）、菌糸体は、完全なネットワークを形成し、混合物を凝集させた。食物粒子が担体によって隔離された場合、胞子形成はより多く観察された。
【００６７】
全混合物及び捕食性ダニ飼育に適切な湿度において、全食物型のカビ発生が観察された。有機物（餌ダニ又は餌ダニのための食物）の分率の低下は、カビ発生の重大度又はスピードを減少させた。運動性Ｃａｒｐｏｇｌｙｐｈｕｓ  ｌａｃｔｉｓダニ（総食物の１０％）の添加は、菌糸体成長を強く抑制し、従って、捕食に利用できる死んだ餌ダニの維持に成功した。
【００６８】
［実施例２］
＜セットアップ＞
餌ダニを不動化するため、１００ｍｌ広口瓶において、７．５ｇのＣａｒｐｏｇｌｙｐｕｓ  ｌａｃｔｉｓを０．７５ｇの純粋エタノールと合一した。広口瓶を閉鎖し、振盪して内容物を混合した。外界温度にて２、３又は４時間後、広口瓶を再度開けた。材料を呼吸させ、エタノールを蒸発させるため、広口瓶を、メッシュを含有する頂部で閉鎖した。実験期間中、２１℃及び６５〜７５％ＲＨで広口瓶を貯蔵した。運動性の点におけるダニの活動性をモニターするため、エタノール処理開始後の異なる時点において、およそ０．５ｇの試料を採取した。これらの試料から、改変したベルレーゼ漏斗を用いて運動性ダニを抽出し、計数した。
【００６９】
＜結果＞
結果を下表２．１に提示する。
【表２】
0006397334.tif 000003
【００７０】
表は、目に見える活動性を示したダニの数を示す（エタノールを適用してから異なる時間における培地１グラム当たりの数）。無処理材料は、１グラム当たりおよそ１５０００匹の活動性個体をもたらした（成虫、若虫及び幼虫の組み合わせ）。エタノール適用の２時間後、多くのダニは、依然として活動性を示したが、その脚は主に制御できない運動をした。エタノール曝露の３時間後、大部分のダニは非活動性であった。４時間後、数匹の個体のみが、ほんの小さな脚の運動を示した。１日後、ほとんど全運動が停止し、動き回る個体がごくたまに観察できた。最初の数日間、活動性ダニはほとんど観察されなかった。この期間において活動性を有するダニは、あらゆる生活段階のものであった。数日後、ダニ活動性は徐々に回復した。
【００７１】
［実施例３］
＜セットアップ＞
捕食性ダニによるエタノール処理した餌ダニの受け入れを、選択実験において試験した。Ｃａｒｐｏｇｌｙｐｈｕｓ  ｌａｃｔｉｓ飼育バッチを３群に分けた。１群（処理Ｅ）には、上述の通り３時間エタノール処理を与えた。エタノール適用と同時に、第２及び第３の群を−１８℃の冷凍庫に置いた。１８時間後、両群を冷凍庫から取り出した。一方の群（処理ＦＥ）を上述の通り追加的なエタノール処理に付し、他方の群（処理Ｆ）には更なる処理を与えなかった。餌ダニの処理を開始してから２７時間後、産生された材料をＡ．ｌｉｍｏｎｉｃｕｓによる三者択一試験に用いた。調製された食物のごく一部分を、連絡した３個のアリーナに置き、多数のＡ．ｌｉｍｏｎｉｃｕｓを中央に置いた。翌日、各種類の食物におけるＡ．ｌｉｍｏｎｉｃｕｓの数を計数した。実験を１０回複製した。
【００７２】
＜結果＞
結果を、異なる処理の食物から回収されたダニの平均分率として図５に提示する。エラーバーは、ＳＤを表示する。Ａ．ｌｉｍｏｎｉｃｕｓは、異なる処理の食物に対して嗜好性を示さず（ＡＮＯＶＡ、Ｐ＝０．０６）、Ａｓｔｉｇｍａｔｉｄダニの代表として、エタノール処理したＣａｒｐｏｇｌｙｐｈｕｓ  ｌａｃｔｉｓが、凍結したＣａｒｐｏｇｌｙｐｈｕｓ  ｌａｃｔｉｓと比較して食物源として等しく許容されることを実証する。
【００７３】
［実施例４］
＜セットアップ＞
本実験において、実験３（処理Ｅ、Ｆ及びＦＥ）と正確に同一の材料を用いた。餌ダニの処理を開始してから２７時間後、材料を用いて、捕食性ダニの飼育に用いられる条件と同様の条件で貯蔵実験を開始した。小型のカップに０．６ｇの培地を充填し、処理毎に５回複製した。これらを２５℃及び９３％ＲＨにて貯蔵した。培地の質を毎日評価した。
【００７４】
＜結果＞
（処理Ｅ）
カップを２５℃及び９３％ＲＨに置いてから２日後、数匹の餌ダニ（約１％）が活動性を有した。７日目に最初の真菌生育が観察され、カップ当たり０〜５個の小さい菌糸体パッチが見られた。この時点において、多くの餌ダニが活動性であり、エタノール処理前のダニ初期数の約２０％であった。
【００７５】
（処理Ｆ）
３日目に最初の真菌生育が観察され、カップ当たり３〜６個の小さい菌糸体パッチが見られた。５日後、表面の１００％が、白い菌糸体に覆われた。７日目、緑色及び黄色の小生子が、それぞれ表面積の７０〜１００％及び５〜２０％を覆った。
【００７６】
（処理ＦＥ）
いくつかの複製において３日目に最初の真菌生育が観察され、カップ当たり０〜１個の小さい菌糸体パッチが見られた。５日後、表面の２０％が、白い菌糸体に覆われた。７日目、表面は、白い菌糸体に完全に覆われ、緑色及び黄色の小生子が、それぞれ表面積の２０〜７５％及び１％を覆った。
【００７７】
不動化実験（実験２）と同様に、処理Ｅにおけるダニの活性は、数日後に回復する。この処理は、群を抜いて最低の真菌発生を生じさせた。この結果は、ダニの活動性の回復が真菌を抑制することに起因すると考えられる。加えて、エタノールそれ自体が、真菌生育を抑制することができる。これは、処理ＦＥが、処理Ｆよりも低い真菌生育を生じさせるが、処理Ｆ及びＦＥどちらにおいても、活動性ダニが観察されなかったという事実に反映される。
【００７８】
［実施例５］
＜セットアップ＞
多数のＡｓｔｉｇｍａｔｉｄ餌ダニに関与する飼育試験のカビ発生データを評価して、運動性Ａｓｔｉｇｍａｔｉｄ個体の真菌抑制効果を決定した。Ｃａｒｐｏｇｌｙｐｈｕｓ  ｌａｃｔｉｓ（Ｃｌ）、Ｌｅｐｉｄｏｇｌｙｐｈｕｓ  ｄｅｓｔｒｕｃｔｏｒ（Ｌｄ）、Ｓｕｉｄａｓｉａ  ｐｏｎｔｉｆｉｃａ（Ｓｐ）、Ｔｈｙｒｅｏｐｈａｇｕｓ  ｅｎｔｏｍｏｐｈａｇｕｓ（Ｔｅ）及びＴｙｒｏｐｈａｇｕｓ  ｐｕｔｒｅｓｃｅｎｔｉａｅ（Ｔｐ）に関与する飼育のデータを収集し解析した。
【００７９】
包含される試験において、実施例２に記載されている通りに飼育を行った。菌糸体凝集塊に基づいて、培地のカビ発生をスコア化した。次のスコア化の表を用いた。軽度（スコア１）、中程度（スコア２）又は重度（スコア３）。
【００８０】
＜結果＞
図６に提示されているドットプロットは、５種の餌ダニの密度に対する、ふすま及びアワもみ殻（Ｃｌのみ）担体におけるカビ発生スコアを示す。
【００８１】
Ａｓｔｉｇｍａｔｉｄダニの真菌抑制効果は明らかである。一部のダニ種は、カビ抑制において他のダニ種よりも有効である。例えば、密度＞５００匹ダニ／グラムの試験条件下においては、Ｃ．ｌａｃｔｉｓ及びＴ．ｅｎｔｏｍｏｐｈａｇｏｕｓが有効であり、一方、Ｌ．ｄｅｓｔｒｕｃｔｏｒ及びＳ．ｐｏｎｔｉｆｉｃａは、密度＞１０００匹ダニ／グラムを必要とする。結果は、もみ殻担体がカビを形成させ難いことも示す。
【００８２】
［実施例６］
＜セットアップ＞
Ｐｈｙｔｏｓｅｉｉｄａｅ科の捕食性ダニの代表として、Ａ．ｓｗｉｒｓｋｉｉ及びＡ．ｌｉｍｏｎｉｃｕｓのために飼育試行をセットアップした。Ａｓｔｉｇｍａｔａ目からの餌ダニの代表として、Ｃ．ｌａｃｔｉｓ及びＴ．ｅｎｔｏｍｏｐｈａｇｕｓを選択した。
【００８３】
９０ｕｍメッシュナイロンの通気性の蓋を備えるペトリ皿（φ＝２５ｍｍ、ｈ＝３０ｍｍ）において飼育を行った。これらの装置一式を、底に飽和塩溶液を入れて所望の湿度を生じたより大型の容器（ｌ×ｗ×ｈ＝３３×２０×１５ｃｍ）内に置いた。Ａ．ｌｉｍｏｎｉｃｕｓ（９３％ＲＨ）以外は、８５％ＲＨにて全試行を行った。温度は２５．０℃（±０．３℃）であり、光環境（light regime）は１６／８（Ｌ：Ｄ）であった。処理毎の複製数は３であった。
【００８４】
ダニのための担体材料として、Ａ．ｌｉｍｏｎｉｃｕｓ（ここでは１３％湿アワもみ殻を用いた）以外は、全事例において１０％湿コムギふすまを用いた。同一接種材料を相対的に低密度で用いて、捕食性ダニ飼育を開始した。
【００８５】
ふすま及び酵母を含有する食餌によりＡｓｔｉｇｍａｔｉｄダニを飼育し、食物として供給した。Ａｓｔｉｇｍａｔｉｄ餌ダニは、試験に応じて、生きた又は生きた＋凍結形態で捕食者に与えた。十分な食物を供給し、及び、生きた餌ダニ：捕食性ダニの比率を許容されるレベル（比率＜１０、好ましくは０〜５）に維持するために、凍結餌ダニの量は、生きた＋凍結餌ダニの量の２倍であった（凍結餌ダニの量が生きた＋凍結餌ダニの量の４倍であった、Ｓ．ｐｏｎｔｉｆｉｃａを除く）。担体及び餌を、接種材料の５０％（ｗ／ｗ）の量で週に２回与えた。食物源として、選択された種の不動化（−１８℃で３〜７日間、使用１時間前に解凍）Ａｓｔｉｇｍａｔｉｄ個体又は選択された種の不動化及び生きたＡｓｔｉｇｍａｔｉｄ個体の混合物のいずれかを提示した。これにより、生きた：不動化比率（生きた＋凍結処理のみ）の制御が可能となった。ふすま及び酵母を含有する食餌により、Ａｓｔｉｇｍａｔｉｄダニを飼育した。
【００８６】
試行を１８〜５０日間続け（グラフを参照）、週に２回、各装置一式の１試料を採取した。この試料から生きた捕食性ダニ及び餌ダニを抽出し、計数した。このようにして、密度（１グラム当たり）及び比率（生きた餌ダニ：生きた捕食性ダニ）を計算した。
【００８７】
＜結果＞
結果を図７に提示し、生きた＋不動化餌の組み合わせが、Ｐｈｙｔｏｓｅｉｉｄ捕食者ダニの有意により高い密度をもたらすことを示す。Ｃ．ｌａｃｔｉｓにおいて飼育したＡ．ｓｗｉｒｓｋｉｉに関して（パネルＡ）、平均増加は１５０％であり、Ｔ．ｅｎｔｏｍｏｐｈａｇｕｓにおいて飼育したＡ．ｓｗｉｒｓｋｉｉに関して（パネルＢ）、増加は１３５％であり、Ｓ．ｐｏｎｔｉｆｉｃａにおいて飼育したＡ．ｓｗｉｒｓｋｉｉに関して（パネルＣ）、増加は１５５％であった。Ｃ．ｌａｃｔｉｓにおいて飼育したＡ．ｌｉｍｏｎｉｃｕｓに関して（パネルＤ）、この増加は２７０％と最高であった。グラフは、試行経過における捕食性ダニの密度（１グラム当たり）（平均±ＳＥ）を示す。グラフの下に、処理毎の平均及び統計検定のｐ値（平均を比較する２試料ｔ検定）を提示する。
【００８８】
不動化されたＡｓｔｉｇｍａｔｉｄ餌が、捕食者のストレスレベルを増加させるリスクなしで、より大量のＡｓｔｉｇｍａｔｉｄ餌ダニを与える機会を大量飼育者に与えると結論付けることができる。これは、有意により高い密度の捕食者ダニをもたらし、よって、大量飼育の効率を増加させ得る。
【００８９】
［実施例７］
＜セットアップ＞
２種の捕食性ダニ、Ａ．ｓｗｉｒｓｋｉｉ及びＡ．ｌｉｍｏｎｉｃｕｓを、異なる担体型に対するその嗜好性に関して試験した。卵段階の飼育開始からおよそ１０日後に成熟雌を収集した。提供された３種の担体は、アワもみ殻；本発明による担体、コムギふすま；標準担体及びバーミキュライト（微粒子、全粒子＜２ｍｍ）；同様に標準担体であった。全担体を湿った形態で（１５ｍｌ水／１００ｇ添加）同時に与えた。各担体のうち、２ポーションを、放出ポイントから不動された距離で（４ｃｍ）互いに向き合わせて置いた。被験基質は全て、０．５ｃｃの同一体積で与えた（アリーナ毎に２ポーションに分ける）。試験開始時に、各種１０匹の雌及び２匹の雄を、各プラスチック選択アリーナ（φ＝１２ｃｍ）の中間に置いた。アリーナを湿った脱脂綿上に置き、捕食性ダニに水を与え、逃避を防止した。放出ポイントに食物源としてＴｙｐｈａ花粉を置いた。複製数は３であり、頂点位置（１２時の位置）における別の基質により、その後のアリーナの位置を定めた。
【００９０】
２５℃、７５％ＲＨ及び１６：８（Ｌ：Ｄ）光環境の条件の気候室において試験を行い、アリーナにおけるＲＨは、８５％前後であった。２日後に、基質毎の捕食者の卵数及び存在する成虫数を計数した（雄個体は統計から除外した）。このため、全担体粒子を個々に精査し、追加の食物を添加した後、２日後にも点検した。カイ二乗適合度検定（１変数）を用いて、種毎の基質毎の結果を統計解析した。
【００９１】
＜結果＞
各基質に見られた雌の総数（３回複製後）を図８（パネルＡ）に提示する。全スタートアップ雌（３０匹）のうち、基質から大部分の個体を回収した、即ち、全Ａ．ｌｉｍｏｎｉｃｕｓの８７％（２６個体）及び全Ａ．ｓｗｉｒｓｋｉｉの６０％（１８個体）。よって、材料が食物源から明らかに分離されたとしても、大部分の雌ダニはこの担体に見られた。両方の試験は、担体材料の間に有意差を示した（ｐ＝０．０００）。
【００９２】
各担体に見られた卵（及び幼生）の総数（３回複製後）を図１のパネルＢに示す。雌ダニの発生率（が、担体上に産み付けられた卵数と相関することが明らかである。両方の試験は、担体材料の間に有意差を示した（ｐ＝０．０００）。
【００９３】
結果は、本実験においてアワもみ殻によって表される、ダニシェルターを提供する担体材料が、Ｐｈｙｔｏｓｅｉｉｄ種等のダニ種に非常に好ましいことを示す。
【００９４】
［実施例８］
＜セットアップ＞
厚い層の培地を調製して、大量飼育装置一式をシミュレートした。担体材料として、ふすま又はアワもみ殻（両者共に湿らせる）のいずれかを用いた。ふすまは、商業的ダニ飼育において用いられる標準担体である。もみ殻は、ダニシェルターを有する本発明による担体の代表である。両者共に凍結形態のＣ．ｌａｃｔｉｓを含む２種の食物型（Ａ及びＢ）を用いた。スタートアップ飼育において、捕食性ダニ、Ａ．ｌｉｍｏｎｉｃｕｓを、試験培地層において２世代超に亘り飼育した。その後の飼育は、換気された箱（Ｌ×Ｗ×Ｈ＝１５×１５×８ｃｍ）の中で６〜７ｃｍの高さの層において２週間行った。試料採取、餌やり及び混合は、週に２回行った。試験は、２１℃及び９３％ＲＨにおいて２回複製して行った。週毎に、試料から生きた捕食者及び餌ダニの数を計数した。
【００９５】
＜結果＞
結果を図９に提示する。もみ殻飼育における捕食者密度は、両方の食物型において、第１週及び第２週において増加している。ふすま混合物において、飼育は、第１週には維持されているが、第２週に崩壊する。捕食者数の減少に続いて、餌ダニ数が増加し、これによって、これらの飼育混合物の継続が困難なものとなる。試験は、標準ふすま担体と比較して、もみ殻担体について肯定的である正味の結果を示す。
【００９６】
［参考文献］
【表３】
0006397334.tif 000004
【図１】
0006397334.tif 000005
【図２】
0006397334.tif 000006
【図３】
0006397334.tif 000007
【図４】
0006397334.tif 000008
【図５】
0006397334.tif 000009
【図６】
0006397334.tif 000010
【図７ａ】
0006397334.tif 000011
【図７ｂ】
0006397334.tif 000012
【図７ｃ】
0006397334.tif 000013
【図７ｄ】
0006397334.tif 000014
【図８ａ】
0006397334.tif 000015
【図８ｂ】
0006397334.tif 000016
【図９】
0006397334.tif 000017